Podtech/llm-jp-corpus-v4-ja_patent huggingface dataset:
【手続補正書】
【提出日】平成15年10月17日(2003.10.17)
【手続補正１】
【補正対象書類名】明細書
【補正対象項目名】特許請求の範囲
【補正方法】変更
【補正の内容】
【特許請求の範囲】
【請求項１】
プリント配線板を自動搬送し、当該プリント配線板への電気・電子部品の取り付け、または電気・電子部品が取り付けられたプリント配線板の処理または試験を行うシステムに用いるプリント配線板取り付け用台盤であって、前記プリント配線板が設置される平板を持つ本体部と、前記プリント配線板に形成したピン孔に挿通して、前記プリント配線板を前記平板に水平な方向に移動しないように固定する、前記平板に設けられた１つ以上のピンと、前記プリント配線板の端部を、前記プリント配線板が前記平板に垂直な方向に移動しないように上方から固定する、前記本体部に設けられた１つ以上の治具と、を備えてなることを特徴とするプリント配線板取り付け用台盤。
【請求項２】
請求項１に記載のプリント配線板取り付け用台盤において、前記ピンが複数であり、少なくとも１つのピンは前記平板の定位置に固定され、少なくとも１つの他のピンは前記平板に設けた軌道を摺動することを特徴とするプリント配線板取り付け用台盤。
【請求項３】
請求項１または２の何れかに記載のプリント配線板取り付け用台盤において、前記治具が複数であり、少なくとも１つの治具は前記平板に固定され、少なくとも１つの他の治具は前記平板に設けた軌道を摺動することを特徴とするプリント配線板取り付け用台盤。
【請求項４】
請求項１〜３の何れかに記載のプリント配線板取り付け用台盤において、前記治具が、前記プリント配線板をスプリングにより押圧するスプリング押圧機構を有することを特徴とするプリント配線板取り付け用台盤。
【請求項５】
請求項１〜４の何れかに記載のプリント配線板取り付け用台盤において、前記本体部がフレームを有し、前記フレームには、前記平板との間にプリント配線板の厚さに対応する高さに迫り出したフランジが設けられていることを特徴とするプリント配線板取り付け用台盤。
【請求項６】
請求項１〜５の何れかに記載のプリント配線板取り付け用台盤において、前記平板は、プリント配線板上の部品に接触しないための開口を有することを特徴とするプリント配線板取り付け用台盤。
【請求項７】
プリント配線板を自動搬送し、当該プリント配線板への電気・電子部品の取り付け、または電気・電子部品が取り付けられたプリント配線板の処理または試験を行うシステムに用いるプリント配線板取り付け用台盤であって、前記プリント配線板が設置され、磁性体平板からなる、または表面に磁性体層が形成された平板を持つ本体部と、前記プリント配線板の縁に当接して、前記プリント配線板を前記平板に水平な方向に移動しないように固定する当接部、および前記プリント配線板の端部を上方から押圧し、前記プリント配線板が前記平板に垂直な方向に移動しないように固定する押さえ部を持ち、下面に永久磁石が設けられてなる１つ以上の治具と、を備えてなることを特徴とするプリント配線板取り付け用台盤。
【請求項８】
請求項７に記載のプリント配線板取り付け用台盤において、前記本体部がフレームを有し、前記フレームには、前記平板との間にプリント配線板の厚さに対応する高さに迫り出したフランジが設けられていることを特徴とするプリント配線板取り付け用台盤。
【請求項９】
請求項７または８に記載のプリント配線板取り付け用台盤において、前記本体部がフレームを有し、前記フレームには、前記平板との間にプリント配線板が当該平板に接触しない高さに、プリント配線板の端部を挟持するように迫り出した２つのフランジが設けられているとともに、前記治具が、上記２つのフランジがプリント配線板を挟持する高さに、プリント配線板挟持用の切り込みを持つことを特徴とするプリント配線板取り付け用台盤。
【請求項１０】
請求項７〜９の何れかに記載のプリント配線板取り付け用台盤において、前記平板は、プリント配線板上の部品に接触しないための開口を有することを特徴とするプリント配線板取り付け用台盤。
【手続補正２】
【補正対象書類名】明細書
【補正対象項目名】００２８
【補正方法】変更
【補正の内容】
【００２８】
図７の拡大図に示すように、フレーム３２は、平板３１の４辺に設けられており、２つのフランジ３２１と３２２とが台盤３の内側に向けて形成されている。フランジ３２１は、平板３１の表面からやや高い位置（ここでは、平板３１の表面からフランジ３２１上面までが１０ｍｍ）に形成され、フランジ３２１と約２ｍｍの間隔を空けてフランジ３２２が形成されている。治具３３は、図８に示すように、円形永久磁石３３１を内部に有する上面Ｘと裾部Ｙとを持つとともに、径２０ｍｍ、高さ４ｍｍの基部３３２を下部に持ち、基部３３２と同軸に柱部３３３を有している。柱部３３３の所定の高さ（下面が基部３３３の底面から１０ｍｍ）の周囲には、これと同軸に深さ２ｍｍの切り込みＤが形成されている。


【手続補正３】
【補正対象書類名】明細書
【補正対象項目名】００２９
【補正方法】変更
【補正の内容】
【００２９】
図９は、図７に示した台盤３に、両面実装用の４つの形状の異なるプリント配線板３０１〜３０４を取り付けた状態を示す図である。プリント配線板３０１〜３０４の、２辺の適宜か所（図６では当該２辺により作られる角部の近傍）の端縁には、平板３１に磁力により強固に固定された治具３３が、切り込みＤを合致させて配置されている。また、フレーム３２のフランジ３２１と３２２（図７参照）との間には、プリント配線板３０１〜３０４のそれぞれの隣接する２辺端部が挟み入れられている。これにより、プリント配線板３０１〜３０４は、平板３１に水平な方向、および垂直な方向に移動しないように固定される。図７に示した台盤３を用いた場合、プリント配線板３０１〜３０４の平板３１側の面が、当該平板３１に接触することはない。


【手続補正４】
【補正対象書類名】図面
【補正対象項目名】図７
【補正方法】変更
【補正の内容】
【図７】
1998135692.tif 000001
【手続補正書】
【提出日】平成15年10月30日(2003.10.30)
【手続補正１】
【補正対象書類名】明細書
【補正対象項目名】発明の名称
【補正方法】変更
【補正の内容】
【発明の名称】電子部品装着装置および電子部品装着方法
【手続補正２】
【補正対象書類名】明細書
【補正対象項目名】特許請求の範囲
【補正方法】変更
【補正の内容】
【特許請求の範囲】
【請求項１】
部品供給部から電子部品を保持し、この電子部品を電子回路基板上に装着する電子部品装着装置であって、
前記電子部品を吸着、保持するノズルと、
前記電子部品を掴み、保持するメカニカルチャックと、
前記ノズルとメカニカルチャックを自動交換する交換ユニットと、
前記ノズルの吸着、またはメカニカルチャックの開閉を行うタイミングの切り替えを行う制御部と
を有することを特徴とする電子部品装着装置。
【請求項２】
ノズル、またはメカニカルチャックで保持した電子部品の位置計測を行う認識部を有し、
前記認識部の認識結果に基づいて位置補正を行い電子回路基板上に電子部品を装着する構成としたことを特徴とする請求項１記載の電子部品装着装置。
【請求項３】
ノズル部により、部品供給部から電子部品を保持し、この電子部品を電子回路基板上に装着を行う電子部品装着方法であって、
実装する電子部品に応じて、電子部品を吸着、保持するノズルと、電子部品を掴み、保持するメカニカルチャックとを選択して前記ノズル部に装着し、
前記ノズル部に装着されたノズルまたはメカニカルチャックに応じて、前記ノズルの吸着、またはメカニカルチャックの開閉を行うタイミングの切り替えを行って、電子部品を保持することを特徴とする電子部品装着方法。
【請求項４】
ノズル、またはメカニカルチャックで保持した電子部品の位置計測を認識部により行い、
前記認識部の認識結果に基づいて位置補正を行って電子回路基板上に電子部品を装着することを特徴とする請求項３記載の電子部品装着方法。
【手続補正３】
【補正対象書類名】明細書
【補正対象項目名】０００１
【補正方法】変更
【補正の内容】
【０００１】
【発明の属する技術分野】
本発明は、電子部品を電子回路基板に装着する電子部品装着装置および電子部品装着方法に関するものである。


【手続補正４】
【補正対象書類名】明細書
【補正対象項目名】００１０
【補正方法】変更
【補正の内容】
【００１０】
【課題を解決するための手段】
本発明の電子部品装着装置は、部品供給部から電子部品を保持し、この電子部品を電子回路基板上に装着する電子部品装着装置であって、前記電子部品を吸着、保持するノズルと、前記電子部品を掴み、保持するメカニカルチャックと、前記ノズルとメカニカルチャックを自動交換する交換ユニットと、前記ノズルの吸着、またはメカニカルチャックの開閉を行うタイミングの切り替えを行う制御部とを有することを特徴とする。
また、本発明の電子部品装着方法は、ノズル部により、部品供給部から電子部品を保持し、この電子部品を電子回路基板上に装着を行う電子部品装着方法であって、実装する電子部品に応じて、電子部品を吸着、保持するノズルと、電子部品を掴み、保持するメカニカルチャックとを選択して前記ノズル部に装着し、前記ノズル部に装着されたノズルまたはメカニカルチャックに応じて、前記ノズルの吸着、またはメカニカルチャックの開閉を行うタイミングの切り替えを行って、電子部品を保持することを特徴とする。
【手続補正５】
【補正対象書類名】明細書
【補正対象項目名】００１２
【補正方法】変更
【補正の内容】
【００１２】
【発明の実施の形態】
本発明は、部品供給部から電子部品を保持し、この電子部品を電子回路基板上に装着する電子部品装着装置であって、前記電子部品を吸着、保持するノズルと、前記電子部品を掴み、保持するメカニカルチャックと、前記ノズルとメカニカルチャックを自動交換する交換ユニットと、前記ノズルの吸着、またはメカニカルチャックの開閉を行うタイミングの切り替えを行う制御部とを有することを特徴とし、さらに、ノズル、またはメカニカルチャックで保持した電子部品の位置計測を行う認識部を有し、前記認識部の認識結果に基づいて位置補正を行い電子回路基板上に電子部品を装着する構成としたことを特徴とする。これにより、装着する電子部品によりノズルとメカニカルチャックは交換され、交換したノズルまたはメカニカルチャックに応じてノズルの吸着、またはメカニカルチャックの開閉を行うタイミングが切り替えられる。また、これらノズルまたはメカニカルチャックを使用して電子部品の吸着・保持が行われると、ノズルまたはメカニカルチャックで保持した電子部品の位置計測が行われ、認識結果に基づいて位置補正が行われ、電子回路基板上に電子部品が装着される。
【手続補正書】
【提出日】平成15年10月22日(2003.10.22)
【手続補正１】
【補正対象書類名】明細書
【補正対象項目名】００２９
【補正方法】変更
【補正の内容】
【００２９】
実施例３
本発明によるさらに他の実施例の電波吸収体の構造を図７に示す。本実施例は２層からなる電波吸収体の場合の例であり、第１層Ｆ１は矩形の磁性体板を交差させた十字型の磁性体を４個組み合わせて一体にして井の字状に構成したものであり、また第２層Ｆ２は口の字型の磁性体であり、第１層Ｆ１の上に絶縁物Ｄを介して積み重ねられている。第１層Ｆ１、絶縁物層Ｄ、第２層Ｆ２を構成する単位構造となる積層体の構造を図８に示す。なお、図８において、（Ａ）は第１層Ｆ１の斜視図、（Ｂ）は絶縁物層Ｄの斜視図、（Ｃ）は第２層Ｆ２の斜視図である。なお、図８（Ａ）に点線で示した部分は一個の十字型フェライト板を示す参考線であり、本実施例では図のようにこれを４個正方形状に組み合わせ一体成形し、第１層Ｆ１としている。
また、図７では、反射板Ｍ上に図８に示す各部材を図７の順に積み重ねた単位構造を紙面上で上下二段積み重ねた形で図示しているが、所要面積の吸収体壁を構成するには、図８の単位構造を、第１層Ｆ１の高さの部分が隣合う単位構造間で互いに接触する状態で図７の紙面の上下方向のみならず前後方向にも繰り返し所定数量配列する。


【手続補正２】
【補正対象書類名】明細書
【補正対象項目名】００３４
【補正方法】変更
【補正の内容】
【００３４】
本実施例を構成するための単位構造となる第１層Ｆ１、絶縁物層Ｄ、第２層Ｆ２を一緒にした積層体の詳細構造を図１１に示す。なお、図１１において、（Ａ）は第１層Ｆ１の斜視図、（Ｂ）は絶縁物層Ｄの斜視図、（Ｃ）は第２層Ｆ２の斜視図である。従って、図１０の構造は、反射板Ｍ上に図１１に示す各部材を図１０の順に積み重ねて単位構造とし、それを紙面上で上下二段積み重ねたものであるが、所要面積の吸収体壁を構成するには、図１１の単位構造を第１層Ｆ１の高さの部分が隣合う単位構造と互いに接触する状態で、図１０の紙面の上下のみならず前後にも繰り返し所定数量配列する。


【手続補正３】
【補正対象書類名】図面
【補正対象項目名】図２
【補正方法】変更
【補正の内容】
【図２】
1998135682.tif 000001
【手続補正書】
【提出日】平成15年8月15日(2003.8.15)
【手続補正１】
【補正対象書類名】明細書
【補正対象項目名】特許請求の範囲
【補正方法】変更
【補正の内容】
【特許請求の範囲】
【請求項１】
（Ａ）オレフィン系熱可塑性樹脂９９〜１wt%と、（Ｂ）アクリロニトリルースチレンーアルキル（メタ）アクリレート系共重合体１〜９９wt％、を含有する樹脂組成物１００重量部（Ａ＋Ｂ）に対して、（Ｃ）エポキシ化したジエン系ブロック共重合体１〜３０重量部、（D）αーオレフィンとα，β−不飽和酸のグリシジルエステルからなるグリシジル基含有共重合体１〜３０重量部を配合したことを特徴とする熱可塑性樹脂組成物。
【手続補正２】
【補正対象書類名】明細書
【補正対象項目名】発明の詳細な説明
【補正方法】変更
【補正の内容】
【発明の詳細な説明】
【０００８】
即ち、本発明は、（Ａ）オレフィン系熱可塑性樹脂、９９〜１ｗｔ％と、（Ｂ）アクリロニトリル−スチレン−アルキル（メタ）アクリレ−ト系共重合体の１〜９９ｗｔ％を含有する樹脂組成物１００重量部（Ａ＋Ｂ）に対して、（Ｃ）エポキシ化したジエン系ブロック共重合体１〜３０重量部、（D）αーオレフィンとα，β−不飽和酸のグリシジルエステルからなるグリシジル基含有共重合体１〜３０重量部を配合した熱可塑性樹脂組成物に関し、該組成物は、非常に溶融混合性（分散性）が良いため物性低下もなく、そのためにＨＦウエルダ−特性、成形加工性、シ−トやフィルムにした時の着色性がよいので、成形品の物性と外観などのバランスが十分に満たされることを発見した。
【００１０】
本発明における（Ｂ）アクリロニトリル−スチレン−アルキル（メタ）アクリレ−ト系ゴム状共重合体には、アクリロニトリル、スチレン、アルキル（メタ）アクリレ−トを必須成分として含有するゴム状共重合体であり、アルキル（メタ）アクリレ−トとしてはブチルアクリレ−ト、２エチルヘキシルアクリレ−ト、メチルメタクリレ−ト、エチルアクリレ−ト、エチルメタクリレ−ト、メチルアクリレ−ト、アクリル酸ペンチル、アクリル酸ヘキシルなどがあり、少なくとも１種類以上のアルキル（メタ）アクリレ−トを用いたものである。また、二官能性アクリレ−ト類、二官能性メタクリレ−ト類、三官能性アクリレ−ト類、三官能性メタクリレ−ト類、およびジビニルベンゼンなどにより部分的に架橋させたものでもよい。
【００１１】
このようなアクリロニトリル−スチレン−アルキル（メタ）アクリレ−ト系ゴム状共重合体は公知であり、３０℃より高い温度でラジカル乳化重合により製造し得る。たとえば、特開平６−３２２０３７に記載された方法でえることができ、市販されているグッドイヤ−社製の商品名サニガムなどがこれに相当する。
【００２８】
§表１
オレフィン系熱可塑性樹脂
（住友化学(株)製、商品名：住友ＴＰＥ−４７６２）              ７０重量部
アクリロニトリル−スチレン−アルキル（メタ）アクリレ−ト系共重合体
（グッドイヤー社製、商品名：サニガムＰ７３９５）              ３０重量部
エポキシ化ジエン系ブロック共重合体
（ダイセル化学工業(株)製、商品名：エポフレンドＡ−１０２０）    ５重量部
グリシジル基含有共重合体
（住友化学(株)製、商品名：ボンドファースト７M）                 ５重量部
ホスファイト系抗酸化剤
（旭電化工業(株)製、商品名：ＡＯ−６０）                     ０．１重量部
フェノール系抗酸化剤
（旭電化工業(株)製、商品名：ＰＥＰ−３６）                   ０．１重量部
滑剤
（旭電化工業(株)製、商品名：ＬＳ−５）                       ０．３重量部
顔料
（東洋インキ製造(株)製、商品名：TＥ−４２）                  ２重量部
（東洋インキ製造(株)製、商品名：TＥ−１０）                  ２重量部
【手続補正書】
【提出日】平成15年12月10日(2003.12.10)
【手続補正１】
【補正対象書類名】明細書
【補正対象項目名】００３０
【補正方法】変更
【補正の内容】
【００３０】
図１に示した給紙トレイの未使用の場合、給紙開閉カバー４を回中心４ａ回りに、反時計方向に回動起立させて、装置本体に対して閉鎖される。この時、支持部材１３もまた給紙開閉カバー４の閉鎖動作に連動して、支持部材１３のストッパー軸１３ｂが給紙開閉カバー４に形成された長穴４ｂに沿って移動することにより、反時計方向に回動する。


【手続補正２】
【補正対象書類名】明細書
【補正対象項目名】００３９
【補正方法】変更
【補正の内容】
【００３９】
図６に示した給紙トレイの未使用の場合、給紙開閉カバー４を回動中心４ａ回りに、反時計方向に回動起立させて、装置本体に対して閉鎖される。この時、支持部材１３もまた給紙開閉カバー４の閉鎖動作に連動して、支持部材１３のストッパー軸１３ｂが給紙開閉カバー４に形成された長穴４ｂに沿って移動することにより、反時計方向に回動する。
【手続補正書】
【提出日】平成15年12月8日(2003.12.8)
【手続補正１】
【補正対象書類名】明細書
【補正対象項目名】００２０
【補正方法】変更
【補正の内容】
【００２０】
また、前記実施態様においては、画像生成装置は、４５０ｎｍ近傍の励起光をカットするフィルタ２７が取り外し可能に構成されており、フィルタ２７を取り外すことにより、きわめて微弱な化学発光を検出して、化学発光画像を生成可能に構成されているが、フィルタ２７をカメラレンズ１３の前面に固定的に設け、蛍光検出システムにおける蛍光画像のみを生成するように構成されていてもよい。
さらに、前記実施態様においては、第一の青色ＬＥＤ光源２１、第二の青色ＬＥＤ光源２２および第三の青色ＬＥＤ光源２３を備えているが、化学発光を検出して、化学発光画像のみを生成する画像生成装置として使用する場合には、第一の青色ＬＥＤ光源２１、第二の青色ＬＥＤ光源２２および第三の青色ＬＥＤ光源２３は不要であり、また、フィルタ２４、２５、２６、２７も必要がない。
【手続補正書】
【提出日】平成15年6月20日(2003.6.20)
【手続補正１】
【補正対象書類名】明細書
【補正対象項目名】特許請求の範囲
【補正方法】変更
【補正の内容】
【特許請求の範囲】
【請求項１】
流し用シンク部の手前側に、大きく湾曲する凹部を形成し、該凹部に前方に大きく緩やかに湾曲する手摺りを架設したことを特徴とする厨房装置用天板。
【請求項２】
流し用シンク部の手前側に凹部を形成し、該凹部に、前方に大きく緩やかに湾曲する手摺りを架設させて厨房装置用天板を形成することを特徴とする厨房装置用天板の製造方法。
【手続補正２】
【補正対象書類名】明細書
【補正対象項目名】０００６
【補正方法】変更
【補正の内容】
【０００６】
また、この発明にあっては、上記天板を製造する手段として、流し用シンク部の手前側に凹部を形成し、該凹部に、前方に大きく緩やかに湾曲する手摺りを架設させて厨房装置用天板を形成するように構成したことを特徴とするものである。
【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
チップ上にＩＣ化されたスイッチ回路であって、
少なくとも第１，第２，第３の入出力端子と、
前記第１，第２の入出力端子間に直列に接続された少なくとも２つのスイッチング素子を含む第１の信号経路と、
前記第１，第３の入出力端子間に直列に接続された少なくとも２つのスイッチング素子を含む第２の信号経路と、
前記第１の信号経路中の前記第１の入出力端子に接続されたスイッチング素子の前記第２の入出力端子側の端部と前記チップ上の共通グランドとの間に接続された第１のスイッチング素子と、
前記第１の信号経路中の前記第２の入出力端子に接続されたスイッチング素子の前記第２の入出力端子側の端部と前記チップ外のグランドとの間に接続された第２のスイッチング素子と、
前記第２の信号経路中の前記第１の入出力端子に接続されたスイッチング素子の前記第３の入出力端子側の端部と前記チップ上の共通グランドとの間に接続された第３のスイッチング素子と、
前記第２の信号経路中の前記第３の入出力端子に接続されたスイッチング素子の前記第３の入出力端子側の端部と前記チップ外のグランドとの間に接続された第４のスイッチング素子とを備えたことを特徴とするスイッチ回路。
【請求項２】
前記第１，第２の信号経路中の各スイッチング素子および前記第１，第２，第３，第４のスイッチング素子は、ガリウム砒素の電界効果トランジスタからなることを特徴とする請求項１記載のスイッチ回路。
【請求項３】
前記第１，第２の信号経路中の各スイッチング素子および前記第１，第２，第３，第４のスイッチング素子は、ジャンクション型電界効果トランジスタであることを特徴とする請求項２記載のスイッチ回路。
【請求項４】
前記第２，第４のスイッチング素子と前記チップ外のグランドとの間に整合用の抵抗を有することを特徴とする請求項１記載のスイッチ回路。
【請求項５】
前記第１，第２，第３，第４のスイッチング素子と前記共通グランド又は前記チップ外のグランドとの間にコンデンサを有することを特徴とする請求項２記載のスイッチ回路。
【手続補正２】
【補正対象書類名】明細書
【補正対象項目名】００１９
【補正方法】変更
【補正の内容】
【００１９】
【課題を解決するための手段】
本発明によるスイッチ回路は、チップ上にＩＣ化されたスイッチ回路であって、少なくとも第１，第２，第３の入出力端子と、第１，第２の入出力端子間に直列に接続された少なくとも２つのスイッチング素子を含む第１の信号経路と、第１，第３の入出力端子間に直列に接続された少なくとも２つのスイッチング素子を含む第２の信号経路と、第１の信号経路中の第１の入出力端子に接続されたスイッチング素子の第２の入出力端子側の端部とチップ上の共通グランドとの間に接続された第１のスイッチング素子と、第１の信号経路中の第２の入出力端子に接続されたスイッチング素子の第２の入出力端子側の端部とチップ外のグランドとの間に接続された第２のスイッチング素子と、第２の信号経路中の第１の入出力端子に接続されたスイッチング素子の第３の入出力端子側の端部とチップ上の共通グランドとの間に接続された第３のスイッチング素子と、第２の信号経路中の第３の入出力端子に接続されたスイッチング素子の第３の入出力端子側の端部とチップ外のグランドとの間に接続された第４のスイッチング素子とを備えた構成となっている。


【手続補正３】
【補正対象書類名】明細書
【補正対象項目名】００２０
【補正方法】変更
【補正の内容】
【００２０】
上記構成のスイッチ回路において、第１，第２の信号経路中の第１の入出力端子側の第１，第３のスイッチング素子のグランド側を、チップ上の共通グランドに接続することで、第１，第３のスイッチング素子のグランド側をダイパッドへ接続する際のワイヤ長を短く設定でき、しかもＩＣパッケージのピン数を少なくできる。一方、第１，第２の信号経路中の第２，第３の入出力端子側の第２，第４のスイッチング素子のグランド側を、チップ外のグランドに接続することで、不十分なグランドからの信号の回り込みがない。


【手続補正４】
【補正対象書類名】明細書
【補正対象項目名】００３６
【補正方法】変更
【補正の内容】
【００３６】
【発明の効果】
以上説明したように、本発明によれば、第１，第２の信号経路中の第１の入出力端子側の第１，第３のスイッチング素子のグランド側をチップ上の共通グランドに接続する一方、第２，第３の入出力端子側の第２，第４のスイッチング素子のグランド側をチップ外のグランドに接続するようにしたことにより、第１，第３のスイッチング素子のグランド側をダイパッドへ接続する際のワイヤ長を短く設定できるとともに、ＩＣパッケージのピン数を少なくでき、しかも不十分なグランドからの信号の回り込みもないため、安価なプラスチックモールドパッケージを用いた場合でも、非常に大きなアイソレーション特性を持つスイッチＩＣを実現でき、しかもＩＣの低コスト化、小型化に大きく寄与できる。
【手続補正書】
【提出日】平成16年2月2日(2004.2.2)
【手続補正１】
【補正対象書類名】明細書
【補正対象項目名】特許請求の範囲
【補正方法】変更
【補正の内容】
【特許請求の範囲】
【請求項１】
色の異なる第１のチョコレートと第２のチョコレートからなる装飾されたチョコレートであって、
該装飾が製品の表面に、溶融した粘性の第１のチョコレートと第２のチョコレートを撹拌することによって所定厚さを有する輪状の追随連続模様を形成したことを特徴とする装飾チョコレート。
【請求項２】
前記輪状の追随模様が渦状のものであり、しかも色の異なる同模様が製品の所定厚内部まで交互に形成した請求項１に記載の装飾チョコレート。
【請求項３】
成形型に設けたチョコレート充填部に第１の溶融チョコレートを所定量デポジットする工程と、第１の溶融チョコレート中に第１の溶融チョコレートとは異なる色の第２の溶融チョコレートをデポジットする工程と、前記第１と第２の溶融チョコレートを回転する工程と、回転工程により生じた模様を冷却により固化する工程とよりなる装飾チョコレートの製造方法。
【請求項４】
前記回転工程が、成形型側か、第１と第２の溶融チョコレート内に差し込んだ撹拌具側か、成形型側のいずれか一方或いは双方を円状または渦巻状に回すものである請求項３に記載の装飾チョコレートの製造方法。
【請求項５】
成形型の刻設部に所定量の第１の溶融チョコレートをノズルからデポジットする第１の充填装置と、前記第１の溶融チョコレートの上から異なる色の第２の溶融チョコレートを前記ノズルと同一あるいは別のノズルからデポジットする第２の充填装置と、前記第１と第２のチョコレートを冷却固化する冷却装置とからなる装飾チョコレート装置であって、
前記第１と第２の溶融チョコレート中には撹拌具を挿入する上下装置と、前記成形型側か撹拌具のいずれか一方、または双方を回転して模様を形成する模様形成装置とからなる装飾チョコレートの製造装置。
【手続補正書】
【提出日】平成16年1月19日(2004.1.19)
【手続補正１】
【補正対象書類名】明細書
【補正対象項目名】特許請求の範囲
【補正方法】変更
【補正の内容】
【特許請求の範囲】
【請求項１】
所定濃度、所定流量に制御された培養液を、居住空間又は建物の一部に付設された植物栽培区画毎に流通又は滞留させ、栽培する植物に応じて前記培養液濃度及び流量を選定し得る如く構成し、此等培養液流通設備を地上若しくは地下に配置すると同時に、可能な限り自然エネルギー及び自然資源を当該植物栽培用の補助エネルギー及び補助材料として利用する如く構成した事を特徴とする限定された居住又は建物空間を緑化する方法。
【請求項２】
上記植物栽培区画が、少なくとも一個のフロート式又は固定床式溶液栽培用プランター又はダクトより成り、必要に応じてその培養液中に通気する如く構成した事を特徴とする請求項１記載の方法。
【請求項３】
上記植物栽培区画で栽培された植物を、所望の三次元誘導部材で誘導するか或は適当な建物の一部に誘導連結する如く構成したことを特徴とする請求項１又は２何れかに記載の方法。
【請求項４】
上記流通された培養液を濾過し、反復還流し、最終的に希釈し、中和して放流する事を特徴とする上記何れかの請求項に記載の方法。
【請求項５】
必要数に区画されるか又は区画されざる植物溶液栽培区画と、これに培養液を供給する循環手段と、前記循環手段に連結する培養液配合タンクとより成り、前記栽培区画は所望形状の種床を着脱自在に備えた水耕スロート又は水耕棚を備え、前記培養液配合タンクは、雨水若しくは水道水源から供給される水槽と供に前記植物溶液栽培区画、培養液濾過手段、及び培養液希釈−中和放流手段に連通し、此等培養液の前記配合タンク、その流通並びに放流手段等は、建物の負荷軽減の為、地上又は建物地下に設置されている事を特徴とする限定された居住又は建物空間を緑化する装置。
【請求項６】
太陽電池パネルを、限定された居住又は建物空間の一部又は当該栽培区画の一部に付設すると供に、それより得られる電力を上記培養液の循環系の一部に使用し、この植物溶液栽培系の全操作を手動若しくはコンピューターで制御する如く構成した事を特徴とする請求項５記載の装置。
【請求項７】
上記植物栽培区画で栽培される植物を、一乃至三次元方向に網状、ひも状、線状、棚状又は此等に均等状の部材、或は建物付属物等で誘導する如く構成した事を特徴とする請求項５乃至７何れかに記載の装置。
【請求項８】
請求項５乃至７何れかに記載の装置を備えた建築物。
【手続補正書】
【提出日】平成16年1月26日(2004.1.26)
【手続補正１】
【補正対象書類名】明細書
【補正対象項目名】００５０
【補正方法】変更
【補正の内容】
【００５０】
４８は冷凍機スイッチであり、常時自動に入れておくものである。冷凍機1は手動スイッチで運転させることもできるようになっている。４９は給水カウンター、５０は給湯カウンターであり、それぞれ前述した洗浄用の給水制御装置２５及び給湯制御装置２６の給水及び給湯の流量計に連動してすすぎ水およびすすぎ湯の流量をカウントするようになっている。51は、CPU４７に連動して保護回路を制御するリレーであり、52は端子台である。また,丸印中のAからGはマグネットスイッチであり、それぞれ図５の下欄に表示した機器のスイッチ作用を行うようになっている。
【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
米と牛乳を主原材料とした牛乳焼酎を二度仕込み法によって製造するにあたり、製造全工程において必要な水として温泉水を使用し、二次仕込み開始時〜開始後３日以内に牛乳を添加混合して二次もろみを造ることを特徴とする牛乳焼酎の製造方法。
【請求項２】
米麹と温泉水と酵母に牛乳を添加混合して一次仕込みを行うことを特徴とする請求項１記載の牛乳焼酎の製造方法。
【請求項３】
米麹１００重量部と温泉水１２０〜１８０重量部と酵母を混合して２〜４日間発酵させる一次仕込みと、この一次仕込みで得られた一次もろみに温泉水２４０〜３６０重量部と蒸米３２０〜４８０重量部を添加混合して１〜３日間発酵させた後に牛乳３００〜７００重量部を添加混合して５〜１２日間発酵させる二次仕込みを行い、この二次仕込みで得られた二次もろみを蒸留することを特徴とする牛乳焼酎の製造方法。
【請求項４】
米麹１００重量部と温泉水１２０〜１８０重量部と酵母を混合して２〜４日間発酵させる一次仕込みと、この一次仕込みで得られた一次もろみに温泉水２４０〜３６０重量部と蒸米３２０〜４８０重量部と牛乳３００〜７００重量部を添加混合して５〜１２日間発酵させる二次仕込みを行い、この二次仕込みで得られた二次もろみを蒸留することを特徴とする牛乳焼酎の製造方法。
【請求項５】
米麹１００重量部と温泉水６０〜９０重量部と牛乳６０〜９０重量部と酵母を混合して２〜４日間発酵させる一次仕込みと、この一次仕込みで得られた一次もろみに温泉水２４０〜３６０重量部と蒸米３２０〜４８０重量部を添加混合して１〜３日間発酵させた後に牛乳２１０〜６４０重量部を添加混合して５〜１２日間発酵させる二次仕込みを行い、この二次仕込みで得られた二次もろみを蒸留することを特徴とする牛乳焼酎の製造方法。
【請求項６】
米麹１００重量部と温泉水６０〜９０重量部と牛乳６０〜９０重量部と酵母を混合して２〜４日間発酵させる一次仕込みと、この一次仕込みで得られた一次もろみに温泉水２４０〜３６０重量部と蒸米３２０〜４８０重量部と牛乳２１０〜６４０重量部を添加混合して５〜１２日間発酵させる二次仕込みを行い、この二次仕込みで得られた二次もろみを蒸留することを特徴とする牛乳焼酎の製造方法。
【請求項７】
二次もろみ表面の浮遊物を除去してから蒸留することを特徴とする請求項１乃至６のいずれかに記載の牛乳焼酎の製造方法。
【請求項８】
温泉水が重曹泉水であることを特徴とする請求項１乃至７のいずれかに記載の牛乳焼酎の製造方法。
【請求項９】
牛乳と温泉水を原材料に使用して製造されてなることを特徴とする牛乳焼酎。
【請求項１０】
請求項１乃至８のいずれかに記載の牛乳焼酎の製造方法にて製造されてなることを特徴とする請求項９記載の牛乳焼酎。
【手続補正２】
【補正対象書類名】明細書
【補正対象項目名】０００６
【補正方法】変更
【補正の内容】
【０００６】
本発明は、上記の知見に基づいてなされたものであり、本発明の牛乳焼酎の製造方法は、請求項１記載の通り、米と牛乳を主原材料とした牛乳焼酎を二度仕込み法によって製造するにあたり、製造全工程において必要な水として温泉水を使用し、二次仕込み開始時〜開始後３日以内に牛乳を添加混合して二次もろみを造ることを特徴とする。
また、請求項２記載の牛乳焼酎の製造方法は、請求項１記載の牛乳焼酎の製造方法において、米麹と温泉水と酵母に牛乳を添加混合して一次仕込みを行うことを特徴とする。
また、請求項３記載の牛乳焼酎の製造方法は、米麹１００重量部と温泉水１２０〜１８０重量部と酵母を混合して２〜４日間発酵させる一次仕込みと、この一次仕込みで得られた一次もろみに温泉水２４０〜３６０重量部と蒸米３２０〜４８０重量部を添加混合して１〜３日間発酵させた後に牛乳３００〜７００重量部を添加混合して５〜１２日間発酵させる二次仕込みを行い、この二次仕込みで得られた二次もろみを蒸留することを特徴とする。
また、請求項４記載の牛乳焼酎の製造方法は、米麹１００重量部と温泉水１２０〜１８０重量部と酵母を混合して２〜４日間発酵させる一次仕込みと、この一次仕込みで得られた一次もろみに温泉水２４０〜３６０重量部と蒸米３２０〜４８０重量部と牛乳３００〜７００重量部を添加混合して５〜１２日間発酵させる二次仕込みを行い、この二次仕込みで得られた二次もろみを蒸留することを特徴とする。
また、請求項５記載の牛乳焼酎の製造方法は、米麹１００重量部と温泉水６０〜９０重量部と牛乳６０〜９０重量部と酵母を混合して２〜４日間発酵させる一次仕込みと、この一次仕込みで得られた一次もろみに温泉水２４０〜３６０重量部と蒸米３２０〜４８０重量部を添加混合して１〜３日間発酵させた後に牛乳２１０〜６４０重量部を添加混合して５〜１２日間発酵させる二次仕込みを行い、この二次仕込みで得られた二次もろみを蒸留することを特徴とする。
また、請求項６記載の牛乳焼酎の製造方法は、米麹１００重量部と温泉水６０〜９０重量部と牛乳６０〜９０重量部と酵母を混合して２〜４日間発酵させる一次仕込みと、この一次仕込みで得られた一次もろみに温泉水２４０〜３６０重量部と蒸米３２０〜４８０重量部と牛乳２１０〜６４０重量部を添加混合して５〜１２日間発酵させる二次仕込みを行い、この二次仕込みで得られた二次もろみを蒸留することを特徴とする。
また、請求項７記載の牛乳焼酎の製造方法は、請求項１乃至６のいずれかに記載の牛乳焼酎の製造方法において、二次もろみ表面の浮遊物を除去してから蒸留することを特徴とする。
また、請求項８記載の牛乳焼酎の製造方法は、請求項１乃至７のいずれかに記載の牛乳焼酎の製造方法において、温泉水が重曹泉水であることを特徴とする。
また、本発明の牛乳焼酎は、請求項９記載の通り、牛乳と温泉水を原材料に使用して製造されてなることを特徴とする。
また、請求項１０記載の牛乳焼酎は、請求項９記載の牛乳焼酎において、請求項１乃至８のいずれかに記載の牛乳焼酎の製造方法にて製造されてなることを特徴とする。
【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
被検眼に明順応をさせた後、暗い視野内に視標を呈示し、その視標を視認できるまでの視力回復時間を測定する夜間視力検査装置において、異なる視標を切換えて被検者に呈示する視標呈示手段と、被検者の視標判別の応答を入力する応答入力手段と、該応答入力手段により入力された応答と呈示視標との正誤を判別する正誤判別手段と、該正誤判別手段により判別された正答の連続回数又は誤答の連続回数に基づいて視力回復時間の測定結果を決定する測定結果決定手段と、を備えることを特徴とする夜間視力検査装置。
【請求項２】
請求項１の夜間視力検査装置において、前記応答入力手段による応答入力から次の応答入力までの経過時間を計測する経過時間計測手段と、該経過時間計測手段により計測される経過時間が所定時間を超えたときには、前記正誤判別手段により正答と判別されたものであっても、正答でないものとして扱う修正手段と、を備えることを特徴とする夜間視力検査装置。
【請求項３】
被検眼に明順応をさせた後、暗い視野内に視標を呈示し、その視標を視認できるまでの視力回復時間を測定する夜間視力検査装置において、視力回復時間の測定開始からの経過時間を計測する時間計測手段と、異なる視標を切換えて被検者に呈示する視標呈示手段と、呈示視標を照明する照明手段と、被検者の視標判別の応答を入力する応答入力手段と、該応答入力手段による応答入力の有無と前記時間計測手段により計測される経過時間とに基づいて前記照明手段により照明される視標輝度を可変制御する制御手段と、を備えることを特徴とする夜間視力検査装置。
【請求項４】
請求項３の夜間視力検査装置において、前記応答入力手段により入力された応答と呈示視標との正誤を判別する正誤判別手段を備え、該正誤判別手段により誤答と判別されたときは、前記制御手段は前記応答入力手段による応答入力が無いものとすることを特徴とする夜間視力検査装置。
【手続補正２】
【補正対象書類名】明細書
【補正対象項目名】０００８
【補正方法】変更
【補正の内容】
【０００８】
（１）  被検眼に明順応をさせた後、暗い視野内に視標を呈示し、その視標を視認できるまでの視力回復時間を測定する夜間視力検査装置において、異なる視標を切換えて被検者に呈示する視標呈示手段と、被検者の視標判別の応答を入力する応答入力手段と、該応答入力手段により入力された応答と呈示視標との正誤を判別する正誤判別手段と、該正誤判別手段により判別された正答の連続回数又は誤答の連続回数に基づいて視力回復時間の測定結果を決定する測定結果決定手段と、を備えることを特徴とする。
（２）  （１）の夜間視力検査装置において、前記応答入力手段による応答入力から次の応答入力までの経過時間を計測する経過時間計測手段と、該経過時間計測手段により計測される経過時間が所定時間を超えたときには、前記正誤判別手段により正答と判別されたものであっても、正答でないものとして扱う修正手段と、を備えることを特徴とする。
（３）  被検眼に明順応をさせた後、暗い視野内に視標を呈示し、その視標を視認できるまでの視力回復時間を測定する夜間視力検査装置において、視力回復時間の測定開始からの経過時間を計測する時間計測手段と、異なる視標を切換えて被検者に呈示する視標呈示手段と、呈示視標を照明する照明手段と、被検者の視標判別の応答を入力する応答入力手段と、該応答入力手段による応答入力の有無と前記時間計測手段により計測される経過時間とに基づいて前記照明手段により照明される視標輝度を可変制御する制御手段と、を備えることを特徴とする。
（４）  （３）の夜間視力検査装置において、前記応答入力手段により入力された応答と呈示視標との正誤を判別する正誤判別手段を備え、該正誤判別手段により誤答と判別されたときは、前記制御手段は前記応答入力手段による応答入力が無いものとすることを特徴とする。


【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
ドナーより血液を採取する採血針と、
採取された血液を収納する採血バッグと、
一端が前記採血バッグに他端が前記採血針にそれぞれ連通し、前記採取された血液を該採血バッグへ導入する第１の流路と、
分岐部を介して前記第１の流路から分岐し、血液の取り出し口を有する第２の流路とを有する採血用器具であって、
前記第２の流路に、採取された血液を一時的に収納する収納部を設けたことを特徴とする採血用器具。
【請求項２】
前記収納部は、可撓性を有する樹脂製シート材で構成された袋体である請求項１に記載の採血用器具。
【請求項３】
前記収納部は、前記取り出し口の近傍に設けられている請求項１または２に記載の採血用器具。
【請求項４】
前記第１の流路の前記分岐部と前記採血バッグとの間を遮断し得る第１の流路用封止手段を有する請求項１ないし３のいずれかに記載の採血用器具。
【請求項５】
前記第２の流路の前記分岐部と前記収納部との間を遮断し得る第２の流路用封止手段を有する請求項１ないし４のいずれかに記載の採血用器具。
【請求項６】
前記第２の流路の横断面の面積は、前記第１の流路の横断面の面積より小さく設定されている請求項１ないし５のいずれかに記載の採血用器具。
【請求項７】
前記第２の流路の端部に、前記取り出し口を有する請求項１ないし８のいずれかに記載の採血用器具。
【手続補正書】
【提出日】平成15年6月19日(2003.6.19)
【手続補正１】
【補正対象書類名】明細書
【補正対象項目名】発明の名称
【補正方法】変更
【補正の内容】
【発明の名称】油脂含有排水の嫌気性処理方法及び装置
【手続補正２】
【補正対象書類名】明細書
【補正対象項目名】特許請求の範囲
【補正方法】変更
【補正の内容】
【特許請求の範囲】
【請求項１】
油脂含有排水を油脂混合物と分離水に分離し、該油脂混合物を高温消化工程で嫌気性処理を行うと共に、該分離水を中温消化工程で嫌気性処理を行い、該高温消化工程の流出液を更に該中温消化工程で嫌気性処理することを特徴とする油脂含有排水の処理方法。
【請求項２】
前記高温消化工程及び／又は前記中温消化工程の流出液の一部を前記油脂混合物と混合攪拌して油脂混合物中の油分を分散する分散工程を有し、得られた分散処理水を前記高温消化工程に導くことを特徴とする請求項１記載の油脂含有排水の処理方法。
【請求項３】
油脂含有排水を油脂混合物と分離水とに分離する油脂分離装置、前記油脂分離装置で分離した油脂分を高温消化する高温消化槽、及び前記高温消化槽の流出液を前記油脂分離装置からの分離水とともに中温消化処理する中温消化槽を有することを特徴とする油脂含有排水の処理装置。
【手続補正３】
【補正対象書類名】明細書
【補正対象項目名】０００１
【補正方法】変更
【補正の内容】
【０００１】
【発明の属する技術分野】
本発明は、油脂含有排水の嫌気性処理方法及び装置に関し、特に難分散性の油分（油脂混合物）を高率に分解し同時にエネルギー源としてのメタンを回収する技術に関する。


【手続補正４】
【補正対象書類名】明細書
【補正対象項目名】０００４
【補正方法】変更
【補正の内容】
【０００４】
本発明は、このような従来の課題に鑑みてなされたものであり、油脂含有排水を先ず油水分離した場合において、得られた油脂混合物について前記のような焼却処理や好気性生物学的処理をすることなく、かつ嫌気性消化法でメタンを回収することができ、高率の浄化を比較的短時間で、小型の装置で高率良く実施できる油脂含有排水の嫌気性処理方法及び装置を提供することを目的とする。


【手続補正５】
【補正対象書類名】明細書
【補正対象項目名】０００６
【補正方法】変更
【補正の内容】
【０００６】
すなわち、本発明は次の構成からなるものである。
（１）  油脂含有排水を油脂混合物と分離水に分離し、該油脂混合物を高温消化工程で嫌気性処理を行うと共に、該分離水を中温消化工程で嫌気性処理を行い、該高温消化工程の流出液を更に該中温消化工程で嫌気性処理することを特徴とする油脂含有排水の処理方法。
（２）  前記高温消化工程及び／又は前記中温消化工程の流出液の一部を前記油脂混合物と混合攪拌して油脂混合物中の油分を分散する分散工程を有し、得られた分散処理水を前記高温消化工程に導くことを特徴とする前記（１）記載の油脂含有排水の処理方法。
（３） 油脂含有排水を油脂混合物と分離水とに分離する油脂分離装置、前記油脂分離装置で分離した油脂分を高温消化する高温消化槽、及び前記高温消化槽の流出液を前記油脂分離装置からの分離水とともに中温消化処理する中温消化槽を有することを特徴とする油脂含有排水の処理装置。
更に、本発明の実施態様の一つとして、次の処理方法が挙げられる。
（４）  前記分散工程に分散剤として酵素あるいは界面活性剤を添加することを特徴とする前記（１）又は（２）記載の油脂含有排水の処理方法。
【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
遊技を統括的に制御する遊技制御装置と、
複数の図柄を可変表示する表示装置と、
前記遊技制御装置からの表示指令信号に基づいて前記表示装置における表示制御を行う表示制御装置と、
を備えた遊技機において、
前記遊技制御装置は、
機種に応じた図柄の色彩を特定する情報を備え、
前記表示指令信号に、前記図柄の色彩を特定する情報を含ませて送信可能とし、
前記表示制御装置は、
各図柄毎にフォントデータを記憶し、該フォントデータをスプライト画像に割り当てるとともに当該スプライト画像に任意の色彩を設定可能とし、
かつ、前記表示制御装置は、前記遊技制御装置からの前記図柄の色彩を特定する情報により機種毎に前記スプライト画像の図柄の色彩が変更されるようにして、複数機種の前記遊技制御装置に適用可能に構成したことを特徴とする遊技機。
【手続補正２】
【補正対象書類名】明細書
【補正対象項目名】０００７
【補正方法】変更
【補正の内容】
【０００７】
【課題を解決するための手段】
第１の発明では、遊技を統括的に制御する遊技制御装置と、複数の図柄を可変表示する表示装置と、前記遊技制御装置からの表示指令信号に基づいて前記表示装置における表示制御を行う表示制御装置と、を備えた遊技機において、前記遊技制御装置は、機種に応じた図柄の色彩を特定する情報を備え、前記表示指令信号に、前記図柄の色彩を特定する情報を含ませて送信可能とし、前記表示制御装置は、各図柄毎にフォントデータを記憶し、該フォントデータをスプライト画像に割り当てるとともに当該スプライト画像に任意の色彩を設定可能とし、かつ、前記表示制御装置は、前記遊技制御装置からの前記図柄の色彩を特定する情報により機種毎に前記スプライト画像の図柄の色彩が変更されるようにして、複数機種の前記遊技制御装置に適用可能に構成した。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
【発明の作用および効果】
第１の発明では、表示制御装置は、遊技制御装置からの図柄の色彩を特定する情報により機種毎に図柄の色彩が変更されるようにして、複数機種の遊技制御装置に適用可能に構成したので、遊技機（遊技制御装置）の機種が異なったとしても、機種に対応した表示を確実に表示させることができる。したがって、１種類の表示制御装置を、複数種類の遊技制御装置に対して汎用的に使用することが可能となり、表示制御装置を効率的に大量生産することができ、生産効率向上によるコスト削減を図ることができる。また、複数機種の遊技機に対して、１種類の表示制御装置を検査すればよくなるので、検査機関による検査の労力が低減される。


【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】変更
【補正の内容】
【００２６】
また、表示制御装置に記憶しておくデータ量を少なくでき、コスト削減できるとともに、表示の変更にも容易に対応できる。


【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】０１１４
【補正方法】変更
【補正の内容】
【０１１４】
電源投入通知指令を受信した場合には、ステップＳ２２に進み、電源投入時画面表示処理を行う。具体的には、上述した図１１のステップＳ１１〜ステップＳ１３と同様の処理を行い、次回の表示指令信号を受信するまで、ステップＳ１３のテストパターン表示処理を継続する。なお、テストパターン以外の表示が行われているときに電源投入通知指令を受信した場合には、その表示からテストパターン表示への強制的切り替えがなされる。